【手続補正書】
【提出日】平成24年7月2日(2012.7.2)
【手続補正１】
【補正対象書類名】特許請求の範囲
【補正対象項目名】全文
【補正方法】変更
【補正の内容】
【特許請求の範囲】
【請求項１】
物体側から順に、物体側に凹面を向けたメニスカス形状の第１レンズと、正の第２レンズと、像側に凸面を向けたメニスカス形状の負の第３レンズと、物体側に凸面を向けた第４レンズとからなり、
下記条件式（１）を満足することを特徴とする撮像レンズ。
０．２５＜Ｄ／ｆ＜４．０  …  （１）
ただし、
Ｄ：前記第１レンズと前記第２レンズの光軸上の間隔
ｆ：全系の焦点距離
【請求項２】
物体側から順に、物体側に凹面を向けたメニスカス形状の第１レンズと、正の第２レンズと、像側に凸面を向けたメニスカス形状の負の第３レンズと、物体側に凸面を向けた第４レンズとからなり、
軸上光束の最外光線が前記第２レンズの物体側の面を通る点における該面の法線が、該面より物体側で光軸と交わることを特徴とする撮像レンズ。
【請求項３】
下記条件式（１）を満足することを特徴とする請求項２記載の撮像レンズ。
０．２５＜Ｄ／ｆ＜４．０  …  （１）
ただし、
Ｄ：前記第１レンズと前記第２レンズの光軸上の間隔
ｆ：全系の焦点距離
【請求項４】
物体側から順に、第１レンズ群と、第２レンズ群とが配されてなり、
前記第１レンズ群は物体側に凹面を向けたメニスカス形状の第１レンズからなり、
前記第２レンズ群の最も物体側には正の第２レンズが配置され、前記第２レンズ群の最も像側には正レンズが配置され、前記第２レンズ群は少なくとも一方の面が非球面の２つ以上のレンズを含み、
下記条件式（１）を満足することを特徴とする撮像レンズ。
０．２５＜Ｄ／ｆ＜４．０  …  （１）
ただし、
Ｄ：前記第１レンズと前記第２レンズの光軸上の間隔
ｆ：全系の焦点距離
【請求項５】
前記第２レンズ群が、物体側から順に、前記第２レンズと、像側に凸面を向けたメニスカス形状の負の第３レンズと、物体側に凸面を向けた第４レンズとを備えることを特徴とする請求項４記載の撮像レンズ。
【請求項６】
下記条件式（２）を満足することを特徴とする請求項１から５のいずれか一項記載の撮像レンズ。
０．３＜ｄ１／Ｄ＜４．０  …  （２）
ただし、
ｄ１：前記第１レンズの中心厚
Ｄ：前記第１レンズと前記第２レンズの光軸上の間隔
【請求項７】
下記条件式（３）を満足することを特徴とする請求項１から６のいずれか一項記載の撮像レンズ。
α＞５０°  …  （３）
ただし、
α：前記第１レンズの物体側の面に入射する最大画角の光束の主光線と、該主光線が前記第１レンズの物体側の面を通る点における該面の法線との角度
【請求項８】
下記条件式（４）を満足することを特徴とする請求項１から７のいずれか一項記載の撮像レンズ。
０．８＜α／β＜３．０  …  （４）
ただし、
α：前記第１レンズの物体側の面に入射する最大画角の光束の主光線と、該主光線が前記第１レンズの物体側の面を通る点における該面の法線との角度
β：前記第１レンズの像側の面から出射する最大画角の光束の主光線と、該主光線が前記第１レンズの像側の面を通る点における該面の法線との角度
【請求項９】
前記第２レンズは両凸形状であり、
下記条件式（５）を満足することを特徴とする請求項１から８のいずれか一項記載の撮像レンズ。
０．０≦｜Ｚ４｜／｜Ｚ５｜＜０．５  …  （５）
ただし、
Ｚ４：前記第２レンズの物体側の面における最大画角の光束の最外光線が該面を通る点と、前記第２レンズの物体側の面頂点の接平面との光軸方向の距離
Ｚ５：前記第２レンズの像側の面における最大画角の光束の最外光線が該面を通る点と、前記第２レンズの像側の面頂点の接平面との光軸方向の距離
【請求項１０】
軸上光束の最外光線が前記第２レンズの物体側の面を通る点における該面の法線が、該面より物体側で光軸と交わり、
下記条件式（５）を満足することを特徴とする請求項１から８のいずれか一項記載の撮像レンズ。
０．０≦｜Ｚ４｜／｜Ｚ５｜＜０．５  …  （５）
ただし、
Ｚ４：前記第２レンズの物体側の面における最大画角の光束の最外光線が該面を通る点と、前記第２レンズの物体側の面頂点の接平面との光軸方向の距離
Ｚ５：前記第２レンズの像側の面における最大画角の光束の最外光線が該面を通る点と、前記第２レンズの像側の面頂点の接平面との光軸方向の距離
【請求項１１】
下記条件式（６）を満足することを特徴とする請求項１、２、３、５、６、７、８、９、１０のいずれか一項記載の撮像レンズ。
ν３＜３５  …  （６）
ただし、
ν３：前記第３レンズのｄ線におけるアッベ数
【請求項１２】
前記第３レンズの像側の面が、非球面であり、
軸上光束の最外光線が前記第３レンズの像側の面を通る点における該面の法線が、該面より物体側の第１の点で光軸と交わり、
５割画角の光束の最外光線が前記第３レンズの像側の面を通る点における該面の法線が、前記第１の点より物体側の第２の点で光軸と交わるか、光軸と平行となるか、前記第３レンズの像側の面より像側の第３の点で光軸と交わり、
前記５割画角の光束の最外光線が前記第３レンズの像側の面を通る点における該面の法線が前記第２の点で光軸と交わる場合には、最大画角の光束の最外光線が前記第３レンズの像側の面を通る点における該面の法線が、前記第２の点より物体側で光軸と交わるか、光軸と平行となるか、前記第３レンズの像側の面より像側で光軸と交わり、
前記５割画角の光束の最外光線が前記第３レンズの像側の面を通る点における該面の法線が、光軸と平行となるか、前記第３の点で光軸と交わる場合には、最大画角の光束の最外光線が前記第３レンズの像側の面を通る点における該面の法線が、該面より像側で光軸と交わり、
下記条件式（７）を満足することを特徴とする請求項１、２、３、５、６、７、８、９、１０、１１のいずれか一項記載の撮像レンズ。
−０．２５＜Ｚ７ｍ／ｆ＜−０．０３  …  （７）
ただし、
Ｚ７ｍ：前記第３レンズの像側の非球面上の各点と、前記第３レンズの像側の面頂点の接平面との光軸方向の最長距離
【請求項１３】
最大画角の光束の主光線が前記第４レンズの物体側の面を通る点における該面の法線が、該面より像側で光軸と交わり、
下記条件式（８）を満足することを特徴とする請求項１、２、３、５、６、７、８、９、１０、１１、１２のいずれか一項記載の撮像レンズ。
０°＜γ＜３５°  …  （８）
ただし、
γ：最大画角の光束の主光線が前記第４レンズの物体側の面を通る点における該面の法線と光軸との角度
【請求項１４】
少なくとも１つのレンズが、ガラス材料からなることを特徴とする請求項１から１３のいずれか一項記載の撮像レンズ。
【請求項１５】
前記第１レンズと前記第２レンズの間に開口絞りが配置されており、
下記条件式（９）を満足することを特徴とする請求項１から１４のいずれか一項記載の撮像レンズ。
０．０≦ｄ３／ｆ＜０．５  …  （９）
ただし、
ｄ３：前記開口絞りと前記第２レンズとの光軸上の間隔
【請求項１６】
前記第１レンズが、少なくとも一面の非球面を有するとともに、ポリオレフィン系のプラスチック材料からなることを特徴とする請求項１から１５のいずれか一項記載の撮像レンズ。
【請求項１７】
請求項１から１６のいずれか一項記載の撮像レンズを備えたことを特徴とする撮像装置。
【手続補正２】
【補正対象書類名】明細書
【補正対象項目名】００１２
【補正方法】変更
【補正の内容】
【００１２】
本発明の第１の撮像レンズは、物体側から順に、物体側に凹面を向けたメニスカス形状の第１レンズと、正の第２レンズと、像側に凸面を向けたメニスカス形状の負の第３レンズと、物体側に凸面を向けた第４レンズとからなり、下記条件式（１）を満足することを特徴とするものである。
０．２５＜Ｄ／ｆ＜４．０  …  （１）
ただし、
Ｄ：第１レンズと第２レンズの光軸上の間隔
ｆ：全系の焦点距離
【手続補正３】
【補正対象書類名】明細書
【補正対象項目名】００１３
【補正方法】変更
【補正の内容】
【００１３】
本発明の第２の撮像レンズは、物体側から順に、物体側に凹面を向けたメニスカス形状の第１レンズと、正の第２レンズと、像側に凸面を向けたメニスカス形状の負の第３レンズと、物体側に凸面を向けた第４レンズとからなり、軸上光束の最外光線が第２レンズの物体側の面を通る点における該面の法線が、該面より物体側で光軸と交わることを特徴とするものである。